(57)【要約】【課題】金属製の蓄熱体を使用して、極めて効率良く余剰電力を熱エネルギーとして貯蔵できる電力の貯蔵システムを提供する。【解決手段】鉄製の蓄熱体１を深夜または休日の余剰電力により加熱手段を使用して高温に加熱し、加熱した蓄熱体１を蓄熱槽１０内に保持し、昼間の電力消費量のピーク時に前記蓄熱体１に形成された流路を通過する媒体４を使用して熱エネルギーとして取り出す構成とした。【選択図】　　　　図１
2004138043.tif 000002
【特許請求の範囲】
【請求項１】
蓄熱体を電力使用した加熱手段で高温に加熱し、加熱した前記蓄熱体を蓄熱槽内に保持し、必要に応じて媒体を使用し前記蓄熱体より熱エネルギーとして取り出すことを特徴とする電力の貯蔵システム。
【請求項２】
前記蓄熱体は、金属材料より形成され、内部に前記媒体の流路が設けられていることを特徴とする請求項１に記載の電力の貯蔵システム。
【請求項３】
前記金属材料は、鉄であり、球状の多重構造に加工され、中心部の蓄熱体が最も温度が高く保温されることを特徴とする請求項１に記載の電力の貯蔵システム。
【請求項４】
前記加熱手段は、電熱ヒータであり、前記中心部の蓄熱体に取り付けられていることを特徴とする請求項１に記載の電力の貯蔵システム。
【請求項５】
前記媒体は、不活性ガスであることを特徴とする請求項１に記載の電力の貯蔵システム。
【請求項６】
前記媒体は、水であることを特徴とする請求項１に記載の電力の貯蔵システム。
【請求項７】
外殻と内殻により真空層と大気で二重に断熱された蓄熱槽内に鉄製の蓄熱体が配置され、前記鉄製の蓄熱体を電力により加熱手段を使用して高温に加熱し、加熱した蓄熱体を蓄熱槽内に保持し、必要に応じて前記蓄熱体に形成された流路を通過する媒体を使用して熱エネルギーとして取り出すことを特徴とする電力の貯蔵システム。
【請求項８】
前記鉄製の蓄熱体は、円盤状に形成されたコアに媒体の流路孔と電熱ヒータの貫通孔が設けられ、複数段積層されていることを特徴とする請求項７に記載の電力の貯蔵システム。
【請求項９】
鉄製の蓄熱体を深夜または休日の電力により加熱手段を使用して高温に加熱し、加熱した蓄熱体を蓄熱槽内に保持し、昼間の電力消費量のピーク時に前記蓄熱体に形成された流路を通過する媒体を使用して熱エネルギーとして取り出すことを特徴とする電力の貯蔵システム。
【請求項１０】
鉄製の蓄熱体を深夜または休日の電力により加熱手段を使用して高温に加熱し、加熱した蓄熱体を蓄熱槽内に保持し、昼間の電力消費量のピーク時に前記蓄熱体に形成された流路を通過する水を使用して蒸気として取り出し、前記蒸気でタービンを回して発電することを特徴とする電力の貯蔵システム。
【請求項１１】
鉄製の蓄熱体を深夜または休日の電力により加熱手段を使用して高温に加熱し、加熱した蓄熱体を蓄熱槽内に保持し、昼間の電力消費量のピーク時に前記蓄熱体に形成された流路を通過する不活性ガスを使用して熱エネルギーとして取り出し、前記不活性ガスでガスタービンを回して発電することを特徴とする電力の貯蔵システム。
【請求項１２】
鉄製の蓄熱体を深夜または休日の電力により加熱手段を使用して高温に加熱し、加熱した蓄熱体を蓄熱槽内に保持し、昼間の電力消費量のピーク時に前記蓄熱体に形成された流路を通過する不活性ガスを使用して熱エネルギーとして取り出し、前記不活性ガスを熱交換器を使用して水を蒸気に変換し、前記蒸気でタービンを回して発電することを特徴とする電力の貯蔵システム。
【請求項１３】
鉄製の蓄熱体を深夜または休日の電力により加熱手段を使用して高温に加熱し、加熱した蓄熱体を蓄熱槽内に保持し、必要に応じて前記蓄熱体に形成された流路を通過する水を使用して高温水として取り出し、前記高温水は混合器に送られて冷水と混合され、所定の温度の温水がつくられることを特徴とする電力の貯蔵システム。
【発明の詳細な説明】
【０００１】
【発明の属する技術分野】
本発明は、商用電力において、夜間電力と昼間電力との平準化を図るため、夜間や休日などの電力を熱エネルギーに変換して貯蔵しておき、昼間のピーク電力発生時などに熱エネルギーを使用する電力の貯蔵システムに関する。
【０００２】
【従来の技術】
従来、この種の電力の貯蔵システムとして最も代表的なものとしては、揚水発電所がある。この揚水発電所は、夜間にダムへ水をポンプで汲み上げ、日中の電力消費量の多い時間帯にダムの水で水車発電機を運転して発電を行うものである。
【０００３】
また、理論的に最も効率の良い電力の貯蔵システムは、超伝導マグネットを使用したシステムである。このシステムは、電気抵抗ゼロの超伝導コイルで作ったマグネットに電流を流して磁気エネルギーとして貯蔵しておき、必要に応じて負荷を接続して電力として取り出すものである。
【０００４】
さらに、最も一般的で安価であり、一般の家庭にも普及している形態は、図７に示すように、余剰の深夜電力を利用する電気ヒータ式の給温水装置よりお湯を沸かして温水とし、この温水を専用の保温槽に貯蔵し、風呂や洗濯、家事などの温水として使用される深夜電力利用電気温水器である。このシステムは、水は比熱が大きく、流体であるためその取扱いが簡単であること、保温の温度が低いために外気との温度差が小さく、発砲スチロールなどの簡易な断熱方法で外部に失われる熱損失を小さく押さえることが可能であり、コスト安価で手軽に採用することができるものである。また、このシステムに使用される給温水装置１５０は、構造を簡略化するために、保温槽１５１の周囲に電気ヒータ１５２を取り付け、所定の温度まで加温して保温するようになっている。そして、温水を使用する場合には、保温槽の上部の取り出し口１５３より取り出して使用する。また、給水は保温槽の下部の給水口１５４より水道からの冷水が供給されるようになっている。
【０００５】
【発明が解決しようとする課題】
しかしながら、上述した従来の電力の貯蔵システムとしての揚水発電所においては、山間部にダムを築いて行われるので、規模が大きく、立地条件に制限があり、建設期間長く建設費用も莫大になるので、簡単に実現できるものではなかった。
【０００６】
また、超伝導コイルを使用したシステムは、変換効率が９０％以上と、確かに理論的に優れたシステムであるが、実際にこのシステムを作る場合には、超伝導コイルの製作やこの超伝導コイルを絶対零度（−２７３°Ｃ）近くまで冷却するためのヘリウム冷凍機を必要とし、技術的に困難であるとともにその設備には膨大な費用がかかり、簡単には実現できないという問題があった。
【０００７】
さらに、給温水装置においては、保温槽の下部の給水口より水道からの自動的に冷水が供給されるようになっているので、保温槽の内部には温水と冷水が共存し、温水の温度が低下するという問題があった。さらに、この給温水装置を使用する場合において、最初は保温槽から蛇口まで間に溜まっていた冷水が出てしまうという問題もあった。そこで、この問題を解決する手段として、保温の温度を水の沸点（１００°Ｃ）近くに設定する方法もあったが、本質的に改善されるものではなかった。
【０００８】
すなわち、熱エネルギーを貯蔵する場合には、熱力学のカルノーサイクルの原理より、その熱エネルギーを貯蔵する媒体の温度が高ければ高いほどその効率が高くなる。従って、質の良い熱エネルギーとして貯蔵するためには保温槽の温度を高温に設定することが重要となる。保温槽の熱エネルギーＱでカルノーサイクルを運転して仕事のエネルギーＷを取り出すことを考えると、熱力学的に仕事として取り出される割合（回収効率η）は保温槽の温度と外気の温度で決定される。各温度での回収効率ηを下記に示す。
2004138043.tif 000003
【０００９】
ところが、水を媒体とするシステムは、上限温度が水の沸点温度１００°Ｃに押さえられるので、極めて効率の悪いシステムということになる。そこで、媒体の温度を高くするためには、水以外の物質が考えられる。水と比較的入手可能な物質として、鉄、銅、鉛を比較したものが下記データである。
2004138043.tif 000004
2004138043.tif 000005
【００１０】
水の場合は１００°Ｃで沸騰するため、温度を１００°Ｃ以上にすることは非常に困難であるが、金属の場合は融点まで熱エネルギーを貯蔵することが可能となり、比熱が小さくとも効率的に熱にエネルギーを貯蔵することができる。
このデータによれば、鉄の比熱は水に比べて１／１０と小さいが、密度が大きいので単位体積当たりの熱量は水に比べてほぼ８０％となる。ところが、この鉄を使用して３００°Ｃで保温した場合は、１００°Ｃで保温した場合より２，４倍効率良く貯蔵できるため、ほぼ水の２倍の熱にエネルギーを貯蔵することができることになる。
【００１１】
本発明は上述した従来の問題点に鑑みなされたもので、鉄を使用して、極めて効率良く電力を熱エネルギーとして貯蔵できる電力の貯蔵システムを提供するものである。
【００１２】
【課題を解決するための手段】
本発明の電力の貯蔵システムは、蓄熱体を電力使用した加熱手段で高温に加熱し、加熱した前記蓄熱体を蓄熱槽内に保持し、必要に応じて媒体を使用し前記蓄熱体より熱エネルギーとして取り出すことを特徴とするものである。
【００１３】
また、本発明の蓄熱体は、金属材料の鉄で球状に形成され、内部に前記媒体の流路が設けられるとともに多重構造を持ち、中心部の蓄熱体が最も温度が高く保温されることを特徴としている。
【００１４】
また、本発明の加熱手段は電熱ヒータとし、前記中心部の蓄熱体に取り付けられていることを特徴とし、前記媒体は不活性ガスまたは水であることを特徴とするものである。
【００１５】
また、本発明の電力の貯蔵システムは、外殻と内殻により真空層と大気で二重に断熱された蓄熱槽内に鉄製の蓄熱体が配置され、前記鉄製の蓄熱体を電力により加熱手段を使用して高温に加熱し、加熱した蓄熱体を蓄熱槽内に保持し、必要に応じて前記蓄熱体に形成された流路を通過する媒体を使用して熱エネルギーとして取り出すことを特徴とするものである。
【００１６】
また、本発明の電力の貯蔵システムにおける鉄製の蓄熱体は、円盤状に形成されたコアに媒体の流路孔と電熱ヒータの貫通孔が設けられ、複数段積層される構成としている。
【００１７】
また、本発明の電力の貯蔵システムは、鉄製の蓄熱体を深夜または休日の電力を使用して高温に加熱し、加熱した蓄熱体を蓄熱槽内に保持し、昼間の電力消費量のピーク時に前記蓄熱体に形成された流路を通過する媒体を使用して熱エネルギーとして取り出す構成としてもよい。
【００１８】
また、本発明の電力の貯蔵システムは、鉄製の蓄熱体を深夜または休日の電力を使用して高温に加熱し、加熱した蓄熱体を蓄熱槽内に保持し、昼間の電力消費量のピーク時に前記蓄熱体に形成された流路を通過する水を使用して蒸気として取り出し、前記蒸気でタービンを回して発電することもできる。
【００１９】
また、本発明の電力の貯蔵システムは、鉄製の蓄熱体を深夜または休日の電力を使用して高温に加熱し、加熱した蓄熱体を蓄熱槽内に保持し、昼間の電力消費量のピーク時に前記蓄熱体に形成された流路を通過する不活性ガスを使用して熱エネルギーとして取り出し、前記不活性ガスを熱交換器を使用して水を蒸気に変換し、前記蒸気でタービンを回して発電することを特徴としている。
【００２０】
さらに、本発明の電力の貯蔵システムは、鉄製の蓄熱体を深夜または休日の電力を使用して高温に加熱し、加熱した蓄熱体を蓄熱槽内に保持し、必要に応じて前記蓄熱体に形成された流路を通過する水を使用して蒸気として取り出し、前記蒸気は混合器に送られて冷水と混合され、所定の温水がつくられることを特徴とするものである。
【００２１】
【発明の実施の形態】
本発明に係る電力の貯蔵システムの実施の形態を図に基づいて説明する。図１は本発明に係る電力の貯蔵システムの第１の実施の形態を示すブロック構成図、図２は本発明に係る電力の貯蔵システムの第２の実施の形態を示すブロック構成図、図３は本発明に係る電力の貯蔵システムの第３の実施の形態を示すブロック構成図、図４は本発明に係る電力の貯蔵システムの第４の実施の形態を示すブロック構成図である。
【００２２】
本発明の第１の実施の形態を示す電力の貯蔵システムＡは、図１に示すように、鉄製の蓄熱体１，２，３を深夜または休日の電力により加熱手段４を使用して高温に加熱し、加熱した蓄熱体１，２，３を蓄熱槽１０内に保持し、昼間の電力消費量のピーク時に前記蓄熱体１，２，３に形成された流路１ａ，２ａ，３ａを通過する媒体４である水を使用して蒸気として取り出し、前記蒸気でタービン５を回して、タービン５に直結した発電機６を回し発電する構成としたものである。また、この電力の貯蔵システムＡは、タービン５を回した蒸気を回収するための復水器７が備えられ、復水器７により蒸気から冷水にされた水は循環ポンプ８にて循環される。
【００２３】
この電力の貯蔵システムＡに使用される蓄熱体は、図１に示すように、蓄熱体１，２，３からなる多重構造の蓄熱体であり、蓄熱体１，２，３のそれぞれその間には耐火レンガなどからなる公知の断熱層１０ａ，１０ｂ，１０ｃ，が設けられており、全体で蓄熱槽１０を構成している。また、それぞれの蓄熱体１，２，３には、内部に媒体４である水の通る流路１ａ，２ａ，３ａが形成されている。
【００２４】
中心部の蓄熱体１はほぼ球体に形成され、この蓄熱体１の内部に加熱用の電熱ヒータ９が埋め込まれている。蓄熱体２，３は球形の外殻構造を形成しており、蓄熱体１と蓄熱体２の間、蓄熱体２と蓄熱体３の間および蓄熱体３と外側ケース１０ｄの間は断熱層が形成されている。そのため、蓄熱体１，２，３および外側ケース１０ｄの間には、機械的に支持するために断熱部材の耐火レンガなどが配置されている。
【００２５】
また、この電力の貯蔵システムＡは、媒体４として水の代わりにヘリウム、窒素などの不活性ガスを使用することもできる。この不活性ガスを使用する場合は装置としての復水器７が不要となる。
【００２６】
このように構成された電力の貯蔵システムＡにおける蓄熱槽１０は、多層構造であり、中心に最も温度の高い蓄熱体１を配置し、この蓄熱体１を取り囲んで外殻構造の蓄熱体２，３を順次配置する。中心の蓄熱体１には電気ヒータ９が取り付けられて電力が供給され、加熱されて昇温し高温になる。すると、熱輻射や伝導により断熱層を通して外部に流出する熱流は、蓄熱体１の外側に配置された蓄熱体２，３により順次吸収され、平衡な温度分布となり落ち着くものである。これらの蓄熱体１，２，３に貯蔵された熱エネルギーは、循環ポンプ８により供給される冷水を順次加熱して高温高圧の水蒸気に変えるものである。このように、蓄熱体を多重構造にすることにより、高い温度の電力の貯蔵システムが可能となる。
【００２７】
従って、この電力の貯蔵システムＡに使用される蓄熱槽１０は、超伝導に用いられるクライオスタットのような高度の多層真空断熱構造は必要なく、一般的な耐火レンガやセラミックを使用した断熱構造でもよい。それも、中心側の断熱層に使用すればよく、外側の断熱層においては、それほど高い耐熱温度が要求されないので、一般的な耐熱性の断熱材が使用できるものである。よって、蓄熱槽１０は、非常にコストが廉価にできるので、システム全体もコストが安価となる。
【００２８】
この蓄熱体を保温温度を７００°Ｃとすると、鉄１ｍ３当たり貯蔵される熱エネルギーＱは次式で示される。
Ｑ＝３４６０ｋＪ／Ｋ×６００Ｋ＝２０７６ＭＪ・・・（１）式
但し温度差７００−１００＝６００（Ｋ）
この熱エネルギーＱは電力に換算すると５７７ｋＷｈｒとなり、４８ｋＷの出力で１２時間分に相当するものである。
【００２９】
また、上述した電力の貯蔵システムを使用して、例えば代表的な電力の貯蔵システムである揚水発電の揚水に使用した場合を想定する。
１ｍ３の水を３０ｍの高さに揚水する場合のエネルギーは次式で示される。
１０００×９．８×３０Ｊ＝０．２９４ＭＪ　・・・（２）式
従って、
（１）式／（２）式＝２０７６／０．２９４＝７０６０（ｍ３）
となる。
この水量を１２時間使用する１分当たりの揚水量に計算すると、
７０６０ｍ３／１２ｈｒ／６０ｍｉｍ＝９．８ｍ３／ｍｉｎ
となる。
【００３０】
また、図２に示す電力の貯蔵システムＢは、上述した電力の貯蔵システムＡの一次媒体４に不活性ガスを使用するとともに熱交換器１１を使用して二次媒体１２の水を加熱するものである。この電力の貯蔵システムＢは、上述した電力の貯蔵システムＡより大規模で高性能なシステムにする場合に使用されるもので、蓄熱体１，２，３を７００°以上の高温に加熱する場合に使用するもので、その場合には一次媒体４に水を使用すると急激に膨張して水蒸気爆発を起こす心配があるので一次媒体４に不活性ガスを使用するものである。
【００３１】
次に、図３に示す電力の貯蔵システムＣは、小型で家庭でも使用できるようにしたもので、鉄製の蓄熱体２１の周囲を断熱真空層２２が設けられた蓄熱槽２０を備え、深夜または休日の電力により加熱手段の電気ヒータ２３を使用して蓄熱体２１を高温に加熱し、加熱した蓄熱体２１を蓄熱槽２０に保持し、必要に応じてこの蓄熱体２１に形成された流路２１ａを通過する媒体２４の水を使用して蒸気として取り出し、この蒸気は混合器２５に送られて冷水と混合され、所定の温水２６がつくられるようにしたものである。
【００３２】
このように構成された電力の貯蔵システムＣは、鉄の蓄熱体の保温温度を３００°Ｃに設定すると、水を媒体とする蓄熱体（最高温度１００°Ｃ）に比較すると、質の良いエネルギーとして貯蔵できるものである。ちなみに、計算を単純化するために、０，５ｍ×０，５ｍ×２ｍ＝０，５ｍ３の鉄の蓄熱体を考えると、この重量は４３００Ｋｇとなり、単位温度あたりの熱容量は１７３０ｋＪ（キロジュール）／Ｋとなる。この蓄熱体を１００°Ｃから３００°Ｃに加熱するには、温度差ΔＴ＝２００Ｋであるから、必要なエネルギーは２４６ＭＪ（メガジュール）となり、電力に換算すると９６ｋＷｈｒ（キロワットアワー）となる。これは、１２ｋＷｋヒータで８時間連続で加熱した熱量に相当する。
【００３３】
また、参考のため、容量が約２５０Ｌの風呂を沸かす（１５°Ｃから４５°Ｃ）ための必要エネネギーを計算すると、２１ＭＪとなり、必要な電力は５，８ｋＷとなる。これは２ｋＷのヒータで約３時間の加熱に相当する。さらに、追い炊きする場合を考えると、５°Ｃの昇温に必要な熱量は５，３ＭＪ（１，５ｋＷｈｒ）となり、これは１辺が２０ｃｍの鉄の立方体（重量約６４ｋｇ）で３００°Ｃから１００°Ｃの温度差の熱量に相当する。すなわち、この程度の蓄熱体を風呂に内蔵することにより追い炊きが可能となるものである。
【００３４】
上述のように構成された電力の貯蔵システムＣは、小型の電力の貯蔵システムとすることが可能となり、従来の深夜電力利用の電気温水器よりも効率良く電力の貯蔵ができるものである。そして、鉄の蓄熱体の温度は、最高３００°Ｃであるため、使用する蓄熱槽は高価な断熱材を使用する必要がないので、コストを安価にできるものである。
【００３５】
さらに、図４に示す電力の貯蔵システムＤは、セントラルヒーティングシステムなど用いられるもので、中央の温水槽３０などから長い温水配管３１で温水が送られる洗面所などに設置されるものである。この電力の貯蔵システムＤは、前述した電力の貯蔵システムＣと同様の小型の蓄熱槽３２を備えたものである。温水配管３１の入り口には流量調節弁３３が設けられて、温水は蓄熱槽３２と混合器３４に分岐される。混合器３４の先には蛇口３５が取り付けられている。
【００３６】
上述のように構成された電力の貯蔵システムＤを洗面所などで使用する場合は、まず流量調節弁３４を開いて長い温水配管３１に停留した冷水を蓄熱槽３２に流し、所定の温度に加温して使用するものである。そして、蓄熱槽３２を使用しているうちに、中央の温水槽３０からの温水が洗面所に到達するので、その時点で流量調節弁３３を調整して蓄熱槽３２へ流れる水を止め、中央の温水槽３０からの温水をそのまま使用するものである。
【００３７】
このように構成された電力の貯蔵システムＤは、従来においては、洗面所などで使用する場合には、その使用が断続的であるため、中央の温水槽３０から送られる温水は長い温水配管３１に長時間停留し、蛇口３５を開き始めに出てくる冷水のかなりの量を流して捨ていたものを、蓄熱槽３２で加温して温水にすることができるので、捨てる必要がなくなり、貴重な水資源の有効活用に役立つものである。
【００３８】
また、図５に示す電力の貯蔵システムＥは、上述した電力の貯蔵システムＡ，Ｂ，Ｃ，Ｄにおける蓄熱槽を蓄熱槽１００に変更したものである。この蓄熱槽１００は外殻１０１と内殻１０２の間に断熱真空層１０３を有しており、内殻１０２の内部に大気層１０４を介して蓄熱体１１０を配設したものである。
また、蓄熱体１１０には貫通して流路１０６が設けられており、加熱用の電熱ヒータ１０５が配設されている。この蓄熱体１１０は４本スタットボルト１０６により内殻１０２に固定されている。
【００３９】
外殻１０１はステンレス材料より形成されたもので、上下方向が丸みを帯びた円筒形に加工されている。下部には後述する支柱１０６をガイドする脚部１０８が形成され、台座１０９に取り付けられる。この外殻１０１の内壁は鏡面に仕上げられており、蓄熱体１１０をから漏れてくる輻射熱を反射して断熱効果をたかめている。内殻１０２もステンレス材料から形成されたもので、蓄熱体１１０を収納固定するため円筒形に加工されている。この内殻１０２は、内部に密閉された大気層１０４が加熱されて膨張しても、空気漏れなど発生しないような厚さ、強度を持つものである。
【００４０】
この内殻１０２を支持する支柱１０８は、ステンレス材料から形成されたもので、蓄熱体１１０と内殻１０２を支持し、蓄熱体１１０と内殻１０２からの熱が外部に漏れないように、十分な長さを持ち、しかも接合部には断熱材が取り付けられている。
【００４１】
また、蓄熱体１１０は、図６に示すように、円盤状に形成されたコア１１１に媒体の流路孔１１ａと電熱ヒータ１０５の貫通孔１１１ｂが設けられており、さらに、このコア１１１を複数段積層するためにスタットボルト１０７用の孔１１１ｃが４箇所形成されている。
【００４２】
このように構成された電力の貯蔵システムＥは、上述した電力の貯蔵システムＡ，Ｂ，Ｃ，Ｄと同様に小型の電力の貯蔵システムとすることが可能となり、従来の深夜電力利用の電気温水器よりも効率良く電力の貯蔵ができるものである。そして、鉄の蓄熱体の温度を３００°Ｃにすれば、使用する蓄熱槽は高価な断熱材を使用する必要がないので、コストを安価にできるものであり、鉄の蓄熱体の温度を７００°Ｃにすれば、非常に効率の高い電力の貯蔵システムとすることができる。
【００４３】
【発明の効果】
以上のように、本発明の電力の貯蔵システムは、鉄製の蓄熱体を深夜または休日の電力により加熱手段を使用して高温に加熱し、加熱した蓄熱体を蓄熱槽内に保持し、昼間の電力消費量のピーク時に前記蓄熱体に形成された流路を通過する媒体を使用して熱エネルギーとして取り出す構成としたことにより、極めて効率良く電力を熱エネルギーとして貯蔵できるので、大規模なものはピーク発電所の代替えにも使用することができ、小規模なものは家庭用の電気温水器の代わりに使用できるので、極めて優れた電力の貯蔵システムを提供することができる。
【図面の簡単な説明】
【図１】本発明に係る電力の貯蔵システムの第１の実施の形態を示すブロック構成図である。
【図２】本発明に係る電力の貯蔵システムの第２の実施の形態を示すブロック構成図である。
【図３】本発明に係る電力の貯蔵システムの第３の実施の形態を示すブロック構成図である。
【図４】本発明に係る電力の貯蔵システムの第４の実施の形態を示すブロック構成図である。
【図５】本発明に係る電力の貯蔵システムの第５の実施の形態を示すブロック構成図である。
【図６】図５の電力の貯蔵システムに使用する蓄熱体を示す斜視図である。
【図７】従来の電力の貯蔵システムの給温水装置を示す正面図である。
【符号の説明】
Ａ　　　電力の貯蔵システム
Ｂ　　　電力の貯蔵システム
Ｃ　　　電力の貯蔵システム
Ｄ　　　電力の貯蔵システム
１　　　蓄熱体
２　　　蓄熱体
３　　　蓄熱体
４　　　媒体
５　　　タービン
６　　　発電機
７　　　復水器
８　　　循環ポンプ
９　　　電気ヒータ
１０　　　蓄熱槽
１１　　　熱交換器
２０　　　蓄熱槽
２１　　　蓄熱体
２２　　　断熱真空層
２３　　　電気ヒータ
２４　　　媒体
２５　　　混合器
２６　　　温水
３０　　　温水槽
３１　　　温水排水管
３２　　　蓄熱槽
３３　　　流量調節弁
３４　　　混合器
３５　　　蛇口
１００　　　蓄熱槽
１０１　　　外殻
１０２　　　内殻
１０３　　　断熱真空層
１０４　　　大気層
１０５　　　電熱ヒータ
１０６　　　流路
１０７　　　スタッドボルト
１０８　　　支柱
１０９　　　台座
１１０　　　蓄熱体
１１１　　　コア
【図１】
2004138043.tif 000006
【図２】
2004138043.tif 000007
【図３】
2004138043.tif 000008
【図４】
2004138043.tif 000009
【図５】
2004138043.tif 000010
【図６】
2004138043.tif 000011
【図７】
2004138043.tif 000012